(57)【要約】  種々の映像信号送信標準に従って作動できるように複数の種々の入力映像信号と互換性のあるトランスポーズされた又は垂直走査ＣＲＴである。フレーム速度コンバータ（６０２）が任意の発信源からの着信ＨＤＴＶ信号を受け入れるよう配置されている。着信信号は、例えば、２４Ｈｚ，２５Ｈｚ，５０Ｈｚ，６０Ｈｚ，７２Ｈｚ及び７５Ｈｚの任意のフレーム速度でよい。フレーム速度コンバータ（６０２）の追加により全ての着信信号速度に対して単一の垂直／水平ディスプレイ走査速度の組み合わせが与えられる。
2009506379.tif 000002
【特許請求の範囲】
【請求項１】
電子線を生成する電子銃を有する陰極線管（５８０）と、
該陰極線管の近傍に配置され、ある垂直走査周波数で前記電子線を垂直に走査する磁場を生成する偏向ヨークと、
２つ以上の着信映像信号速度の受信が可能な少なくとも１つの集積回路と、前記２つ以上の着信映像信号速度を選択された速度に変換するための少なくとも１つのフレーム速度コンバータ（６０２）とを有するシャーシとを備え、
前記少なくとも１つの集積回路と前記シャーシは、前記選択された出力映像信号速度で前記電子線を走査するように前記偏向ヨーク及び前記電子銃を駆動する回路に信号を送ることが可能であり、
前記フレーム速度コンバータ（６０２）は、全ての着信信号速度に対して単一の垂直/水平の組み合わせを与えることを特徴とするマルチ標準垂直走査ＣＲＴ。
【請求項２】
前記着信信号速度は、２４Ｈｚ〜１００Ｈｚの範囲で、前記選択された速度は、５０Ｈｚ，６０Ｈｚ及び７５Ｈｚからなる群から選択された速度であることを特徴とする請求項１に記載のマルチ標準垂直走査ＣＲＴ。
【請求項３】
前記特定の入力映像信号速度は、２４Ｈｚ，２５Ｈｚ，５０Ｈｚ，６０Ｈｚ，７２Ｈｚ及び７５Ｈｚからなる群から選択された速度であることを特徴とする請求項１に記載のマルチ標準垂直走査ＣＲＴ。
【請求項４】
前記着信映像信号速度は、２４Ｈｚ〜１００Ｈｚであることを特徴とする請求項１に記載のマルチ標準垂直走査ＣＲＴ。
【請求項５】
電子線を生成する電子銃を有する陰極線管（５８０）と、
該陰極線管の近傍に配置され、ある垂直走査周波数で前記電子線を垂直に走査する磁場を生成する偏向ヨークと、
２つ以上の着信映像信号速度の受入が可能な少なくとも１つの集積回路と、前記２つ以上の着信映像信号速度を選択された出力速度に変換するための少なくとも１つのフレーム速度コンバータ（６０２）とを有するシャーシとを備え、
前記少なくとも１つの集積回路と前記シャーシは、前記選択された出力映像信号速度で前記電子線を走査するように前記偏向ヨーク及び前記電子銃を駆動する回路に信号を送ることが可能であり、
前記着信信号速度は、２４Ｈｚ〜１００Ｈｚの範囲で、前記選択された出力速度は、５０Ｈｚ，６０Ｈｚ及び７５Ｈｚからなる群から選択された速度であることを特徴とするマルチ標準垂直走査ＣＲＴ。
【請求項６】
前記少なくとも１つのフレーム速度コンバータ（６０２）は、順次走査による着信映像信号と飛越し走査による着信映像信号とを両方受け入れることが可能なことを特徴とする請求項５に記載のマルチ標準垂直走査ＣＲＴ。
【請求項７】
様々な水平及び垂直の走査速度の入力信号を受信するステップと、
全ての着信フレーム速度を選択された走査速度に変換するステップと、
全ての画像を同じ選択された垂直及び水平の走査速度で表示するステップと
を含むことを特徴とするマルチ標準垂直走査ＣＲＴの作動方法。
【請求項８】
前記変換するステップは、２４Ｈｚ〜１００Ｈｚの範囲の着信フレーム速度を受信するステップを含むことを特徴とする請求項７に記載のマルチ標準垂直走査ＣＲＴの作動方法。
【請求項９】
前記選択された走査速度は、５０Ｈｚ，６０Ｈｚ及び７５Ｈｚからなる群から選択された速度であることを特徴とする請求項７に記載のマルチ標準垂直走査ＣＲＴの作動方法。
【請求項１０】
前記変換するステップは、全ての着信信号速度に対して単一の垂直/水平組み合わせの走査速度を与えることを特徴とする請求項７に記載のマルチ標準垂直走査ＣＲＴの作動方法。
【請求項１１】
前記選択された走査速度は、垂直走査速度であることを特徴とする請求項７に記載のマルチ標準垂直走査ＣＲＴの作動方法。
【発明の詳細な説明】
【技術分野】
【０００１】
本発明は、マルチ標準垂直走査ＣＲＴ及びその作動方法に関し、より詳細には、垂直走査モードで作動する、例えば、高精細度テレビ（ＨＤＴＶ）などのディスプレイ用の陰極線管（ＣＲＴ）及びその作動方法に関する。特に、全ての入力信号走査速度に対して単一の出力走査速度を保つことが出来る垂直走査ＣＲＴ及びその作動方法に関する。
【０００２】
（関連出願の相互参照）
本出願は、２００５年８月３１日に出願された米国特許仮出願第６０／７１３１０５号の出願日の利益を主張する。
【背景技術】
【０００３】
テレビ技術が益々発展するにつれ、高精細度テレビ（ＨＤＴＶ）とその人気及びＨＤＴＶの送信量は増え続ける。そのため、ＨＤＴＶ画像を受信し表示できるディスプレイの需要は増大し続けている。こうした展開と同時に、偏向角度が高められ視覚分解能特性が改善された、より大きな縦横比の真性なフラットスクリーンの需要はますます増えている。そのために、ＨＤＴＶ画像の表示が可能な大きな縦横比の画面で視覚分解能が改善された大きな偏向角度のＣＲＴディスプレイを提供する必要がある。
【０００４】
視覚分解能が改善されるように、輝点のサイズ及び形状が画面全体でより均一性を持つよう輝点性能を改良する。この目的のために今や殆どのディスプレイはダイナミックフォーカスを使用する。偏向角度の拡大も画面中央部での輝点性能の改良をもたらし、その理由は偏向角度の拡大によって電子銃と画面との距離（以下、「投影距離」という）が短くなるためである。
【０００５】
図１は、典型的なＣＲＴにおける投影距離と偏向角度の間の基本的な幾何学的関係を示す概略図である。偏向角度（Ａ）を拡大すると、投影距離が短縮するため、奥行きの浅いＣＲＴの作製が可能になり、最終的にはより薄いテレビが作製できる。一般的なディスプレイ市場の動向は奥行きが浅いよりフラットなディスプレイに向かっているため、ＣＲＴの設計者はより浅いＣＲＴを開発する課題に直面している。このことは、電子銃組立体を１つだけ備えるＣＲＴでは、奥行きを浅くするために偏向角度を拡大しなければならないことを意味する。
【０００６】
偏向角度が拡大するにつれて、非線形の関係において投影距離が短くなり輝点サイズが縮小化される。以下の公式は輝点サイズと投影距離の関係を数学的に近似的に示す。
【０００７】
輝点サイズ≒Ｂ*投影距離（Ｔｈｒｏｗ）1.4  ・・・（式１）
ここで、指数１．４は、電子線電流の実効範囲に対する拡大効果及び空間電荷効果を考慮した概数である。Ｂは、システムに関する比例定数である。この関係を考えると、対角線寸法が７６０ｍｍの陰極線管では、隅から隅までの偏向角度を１００度から１２０度に拡大し、中央投影距離を、例えば、４１３ｍｍから３１３ｍｍ、すなわち、２４％短縮すると、画面中央の輝点のサイズには３２％の縮小がもたらされる。
【０００８】
これらのディスプレイの偏向角度を広げると傾斜（ｏｂｌｉｑｕｉｔｙ）の拡大が起こる（これは電子線がある傾斜角度で画面をさえぎることにより輝点の伸長が起こる効果として定義される）。この傾斜の問題は、標準の水平な銃方向を有するＣＲＴ、すなわち、銃が画面の主軸に沿って水平に配置されたＣＲＴにおいて特に顕著になる。傾斜が拡大するにつれ、画面中央で概ね円形形状である輝点は、輝点が画面端部に移動するにつれて楕円形となり、すなわち、伸長する。この構造的な関係に基づいて、１６×９の画面などの大きな縦横比の画面では、輝点は主軸の端部及び画面の四隅で最も伸長して現れる。そのため傾斜効果によって輝点サイズが大きくなるのは明らかである。以下の公式は、輝点サイズの径ＳＳradialを定義する。
ＳＳradial=ＳＳnormal／ｃｏｓ（Ａ）  ・・・（式２）
ここで、Ａは、図１に示すＤｃからＤｅまでの計測された偏向角度であり、公称の輝点サイズＳＳnormalは傾斜のない輝点サイズである。
【０００９】
傾斜効果に加えて、水平な銃方向を有する自己集束型ＣＲＴのヨーク偏向効果も輝点形状の均一性を損ない得る。自己集束を行うために、ＣＲＴは典型的に針山形状の場を生成する水平のヨークと樽形状の場を生成する垂直のヨークを備える。これらのヨークの場は輝点形状が伸長する原因となる。この伸長が傾斜効果に加わって、３時及び９時位置（「３／９」位置という）と画面の隅の位置の輝点の歪みをさらに広げる。
【００１０】
輝点の歪みと傾斜に対処するために種々の試みがされてきた。例えば、ディスプレイ画面の短軸に平行して偏向のない電子線が現われる垂直な電子銃方向を有するＣＲＴが開示されている（例えば、特許文献１参照）。この特許文献１に記載される偏向システムは、ディスプレイ画面をラスター走査方式で走査させるための信号ジェネレータを含み、それによってディスプレイ画面の短軸に沿う方向の複数の線を生じさせる。偏向システムは、電子線をディスプレイ画面の短軸方向に偏向させるための実質的に針山形状の偏向場を生成するための第１のコイル一組も備えている。第２のコイル一組が電子線をディスプレイ画面の長軸方向に偏向させるための実質的に樽形状の偏向場を生成する。偏向システムのコイルは、概して輝点を垂直に伸ばして歪める。この垂直の伸長は傾斜効果を補正し、それによって画面の３／９及び隅位置の輝点の歪みを削減する。３／９の画面位置で自己集束を行うために必要となる樽形状の場は、上述した特許文献１の図１０に示されるように傾斜を過剰補正し、輝点を３／９及び隅位置で垂直に引き伸ばす。（実際は、樽形状の場は過剰補正し、３／９位置及び画面隅位置の輝点形状を垂直方向の長円にする。）電子銃を垂直軸、すなわち短軸に沿った方向にすることにより自己集束システムは改良されるが、輝点の歪みは３／９位置及び画面隅位置で問題として残る。
【００１１】
上記にもかかわらず垂直方向のインライン銃を備えトランスポーズされた走査をＣＲＴが行うことには著しい利点があるにせよ、例えば、５０Ｈｚ，６０Ｈｚ及び７５Ｈｚなどの複数の種々の入力映像信号に対して互換性をもつトランスポーズされたスキャンを行う手段には必要性がある。
【００１２】
【特許文献１】米国特許第５１７０１０２号明細書
【発明の開示】
【発明が解決しようとする課題】
【００１３】
本発明は、このような状況に鑑みてなされたもので、その目的とするところは、現行の任意の着信フレーム速度に対して一定の出力走査速度を保ち得るトランスポーズされたマルチ標準垂直走査ＣＲＴ及びその作動方法を提供することにある。
【課題を解決するための手段】
【００１４】
これら及び他の実施態様は本発明の実施により果たされる。本発明では、マルチ標準垂直走査ＣＲＴ（ｍｕｌｔｉ−ｓｔａｎｄａｒｄ  ｖｅｒｔｉｃａｌ  ｓｃａｎ  ＣＲＴ）は、電子線を生成する電子銃を有する陰極線管を備えている。ＣＲＴ近傍の偏向ヨークは、ある垂直走査周波数で電子線を垂直に走査する磁場を生成する。シャーシ（ｃｈａｓｓｉｓ）は、２つ以上の着信映像信号速度の受信が可能な少なくとも１つの集積回路と、２つ以上の着信映像信号速度を選択された速度に変換するための少なくとも１つのフレーム速度コンバータとを備えている。集積回路及びシャーシは、選択された出力映像信号速度で電子線を走査するように偏向ヨーク及び電子銃を駆動する回路に信号を送ることが可能である。フレーム速度コンバータは、全ての着信信号速度に対して単一の垂直/水平の組み合わせを与える。
【００１５】
本発明の他の実施態様によると、着信信号速度は、２４Ｈｚ〜１００Ｈｚの範囲であってよく、選択された速度は、５０Ｈｚ，６０Ｈｚ及び７５Ｈｚからなる群から選択された速度であってよい。この範囲内の着信信号速度の例には、２４Ｈｚ，２５Ｈｚ，５０Ｈｚ，６０Ｈｚ，７２Ｈｚ及び７５Ｈｚがある。
【００１６】
本発明の他の実施態様によると、少なくとも１つのフレーム速度コンバータは、順次走査（ｐｒｏｇｒｅｓｓｉｖｅ）による着信映像信号と飛越し走査（ｉｎｔｅｒｌａｃｅｄ）による着信映像信号の両方を受け入れることが可能である。
【００１７】
マルチ標準垂直走査ＣＲＴの作動方法は、様々な水平及び垂直の走査速度の入力信号を受信するステップと、全ての着信フレーム速度から選択された走査速度に変換するステップと、全ての画像を同じ選択された垂直及び水平の走査速度で表示するステップとを含んでいる。
【００１８】
着信フレーム速度の範囲は、２４Ｈｚ〜１００Ｈｚであってよく、選択された走査速度は、５０Ｈｚ，６０Ｈｚ又は７５Ｈｚであってよい。選択された走査速度は、これらの作動周波数の１つを有する垂直走査速度である。全ての着信フレーム速度の変換により、全ての着信信号速度に対して単一の垂直/水平組み合わせの走査速度が与えられる。
【００１９】
これより、本発明を添付された図面を参照にして以下に説明する。図面を通して、同じ参照記号は同じ要素を示している。
【発明を実施するための最良の形態】
【００２０】
垂直方向のインライン銃と、偏向ヨークと、５０Ｈｚの信号及び６０Ｈｚの映像信号、並びに２４Ｈｚ（米国内）及び２５Ｈｚ（欧州内）のフィルムフレーム速度に互換性を有する垂直の高周波走査システムを実装する手段とを備える陰極線管ディスプレイを開示する。また、高周波数の走査速度は、およそ２４Ｈｚと２５Ｈｚの入力及び７２Ｈｚから７５Ｈｚ出力のシネマモードを含む２４Ｈｚから１００Ｈｚまでなどの複数の信号の発信源に対応するように意図されている。システムは、着信映像信号速度を感知するようにさらに拡張され、次いで着信信号をその信号に対する可能性の一つとして表示するよう自動的に適合されてよい。この選択工程は完全に自動化してよく、あるいは２つ以上のディスプレイの選択肢が可能なときは消費者に選択させてよい。
【００２１】
例えば、５１．５６ｋＨｚ近辺の高い周波数の走査速度で作動することにより高周波の走査線の数、したがって、アクティブな水平ピクセルのカウント値は、種々の入力信号を受け入れるために変更できる。具体的には、下の表１は、典型的な高周波走査周波数５１．５６ｋＨｚに対するいくつかの特定の低い周波数の走査速度の実施態様を示している。
【００２２】
【表１】
2009506379.tif 000003
【００２３】
垂直走査のＣＲＴの典型的な出力フォーマットは、６０Ｈｚで１２８０ｉ×７２０である。表１に示すように本発明は、６０Ｈｚでのピクセルカウント値を引き上げ、１２８０での高い周波数の走査速度４１．２５ｋＨｚから１６００での５１．５６ｋＨｚとする。他の妥当な高周波垂直走査速度は、４０ｋＨｚから６０ｋＨｚの範囲の出力速度で考え得る。
【００２４】
【表２】
2009506379.tif 000004
【００２５】
表２の見出し「タイミング及び回路の考慮事項」の下方にある走査線数とピクセルのデータは、それぞれ視認可能な走査線とピクセルのデータを超えており、オーバースキャン及び帰線を考慮している。表２の垂直の銃配置のＣＲＴでは、視認可能な画像フィールドは１２８０本の垂直走査線を含み、各走査線上には７２０のアドレス付け可能なポイント（すなわち７２０ピクセル／線）がある。
【００２６】
表２の３つの異なる走査システムはすぐれた視覚分解能をもたらす。走査線やピクセルの個数による視覚的な違いは、１ｍ未満の対角線寸法の画面サイズにおいて１ｍより大きく離れた通常の鑑賞距離では認識されない。しかし、垂直走査システムは、輝点サイズ／電子線の分解能が優れているために格段に良い画像を与える。高速走査周波数は全てのシステムでほぼ同じだが、１６×９の縦横比システムでは垂直方向の偏向角度は水平方向よりずっと小さいために、垂直走査システムは走査にかなり少ない必要な電力しか必要としない。さらに、垂直走査システムのピクセルクロック速度は、他のシステムよりずっと少ない。特に有利な構成では、１２８０の飛越し走査による視覚走査線を用いるが、これは、ＨＤＴＶ画像の表示で不利な効果をもたらすことなしに偏向に必要な電力を大幅に低減する。
【００２７】
本発明のＣＲＴディスプレイシステムは、表２に挙げる以外の走査速度で作動してよい。約２０ｃｍから１ｍの範囲の対角線寸法の１６：９フォーマットの陰極線管で、約７００本から３０００本の範囲の垂直走査線を生成する走査速度により、通常の家庭での鑑賞条件（約２メートルの鑑賞距離）下で優れたＨＤＴＶ表示が与えられる。
【００２８】
本発明は、また、種々の他の信号のフォーマットに対処する。本発明の実施態様では、表１に示す入力ピクセルカウント値を選択された出力フォーマットに調整するために、図２に示すプリスケーラ及びポストスケーラを使用する。
【００２９】
図２は、本発明に係るマルチ標準垂直走査ＣＲＴの第一実施形態を説明するためのブロック図である。
【００３０】
図３は、本発明に係るマルチ標準垂直走査ＣＲＴの関連する信号処理及び電子ドライブシステムの詳細な例示的実施形態のブロック図で、着信信号のフロントエンドプロセッサ５００への供給を示す本発明の実施態様のより詳細なブロック図である。フロントエンドプロセッサ５００は、また、水平及び垂直の順次走査による同期を生成する。プリスケーラ５１０は、フロントエンドプロセッサからの出力信号を受信し、ピクセルカウント値の調整を開始する。映像画像がトランスポーズオペレータ要素５２０によりトランスポーズされて、順次走査による垂直に走査されたＹＰｂＰｒ信号又はＲＧＢ信号を生成した後、ポストスケーラ５２５が入力ピクセルフォーマットから選択された出力への調整を完了する。フォーマットコンバータ５３０は、映像修正要素５４０がビデオ修正を行えるようＹＰｂＰｒからＲＧＢフォーマットへの変換を行ってよく、このビデオ修正では視認可能な画面全面で最適の集束と幾何形状を確保し個々の赤、緑及び青のサブイメージの適正な位置決めを確保する。映像修正要素５４０は、映像修正を実行し順次走査から飛越し走査による垂直走査への変換を行う集積回路又はフィールドプログラム可能ゲートアレイを含んでよい。映像修正要素５４０により出力されたディジタルＲＧＢ（ｉ）の飛越し走査による垂直走査信号は、ディジタルからアナログ（Ｄ／Ａ）コンバータ５５０による変換を経てアナログＲＧＢ（ｉ）信号となる。画像プロセッサ５６０が、コントラスト、輝度、ＡＫＢ及びＡＢＬ機能を与えることにより、飛越し走査による垂直走査信号の最後の生成を行う。映像増幅器要素５７０は、画像プロセッサ５６０からのＲＧＢ（ｉ）信号に従ってＣＲＴ５８０の３個の電子銃を駆動する。同期プロセッサ５９０は、映像修正要素５４０からこの同期プロセッサが受信するＨ＆Ｖ（ｉ）信号に従ってダイナミックフォーカスジェネレータ６００、クワッドドライブ６１０、及び偏向信号ジェネレータ６２０に同期信号を与える。
【００３１】
本発明の他の実施態様もまた可能である。全ての実施態様の画質は、モーション補正を行うために使用されるアルゴリズムの品質に影響される。具体的には、本発明による信号処理により生成され又は強まる可能性のある画像ジッタを減らすために、本発明の任意の実施形態では全面的モーション補正のアルゴリズム又はモーション適合アルゴリズムを使用してよい。
【００３２】
図４は、本発明に係るマルチ標準垂直走査ＣＲＴの関連する信号処理及び電子ドライブシステムの他の詳細な例示的実施形態のブロック図である。図４に示すように、さらなる処理ブロック５１５によって基本的な（例：フレーム挿入）品質レベルが拡張可能であろう。単一の高周波走査速度と複数の低周波数走査速度による垂直走査システムのこのような実施態様では、全ての着信信号標準（例：５０Ｈｚ及び６０Ｈｚ）に適合する１つの共通な基本シャーシ設計を世界中で使用することを可能にする。したがって、この種の世界的ディスプレイシステムのシャーシ設計要件を簡素化する。
【００３３】
例えば、これらの実施態様の画質は、モーション補正に用いられるアルゴリズムの品質に影響される。可能な品質レベルは少なくとも３つある。すなわち、１）第一の実施態様による基本の品質、２）モーション適合アルゴリズムの実施態様による追加の品質改善、及び３）フレーム速度コンバータでの全面的モーション補正アルゴリズムによる最高の品質である。基本の品質レベル（例：フレーム挿入）は、図４に示すさらなる処理ブロック５１５によって向上できる。第１のレベル改良は、モーション適合アルゴリズムによるもので、モーション補正アルゴリズムがさらなる品質改良をもたらす。（図４は、先端的モーション処理（ａｄｖａｎｃｅｄ  ｍｏｔｉｏｎ  ｈａｎｄｌｉｎｇ）なしの本発明のディスプレイシステムを示す。）
【００３４】
単一の高周波走査速度と複数の低周波数走査速度による垂直走査システムのこのような実施態様は、５０Ｈｚ及び６０Ｈｚ規格に両方適合する１つの共通な基本シャーシ設計を世界中で使用することを可能にし、したがって、この種のディスプレイシステムのシャーシ設計要件を簡素化する。
【００３５】
本発明の他の実施態様では、先端的フレーム速度変換アルゴリズムを使用することによりトランスポーズされた走査ＣＲＴディスプレイシステムが全ての入力信号に対して単一の出力走査速度を保つことを可能にする。ＨＤＴＶは当初６０Ｈｚのフレーム速度を使って米国に導入されたが、ＨＤＴＶ信号が世界の他の場所で普及するにつれて今や様々な信号をＤＯＳディスプレイシステムで処理しなければならないことに留意することが重要である。
【００３６】
上述した図３及び図４の例において、様々な低速の走査速度が生成され、その様々な低速の走査速度を受け入れるために、出力画像中の高速の走査線の数が変更される。しかし、これではシャーシはまだ複数の周波数で作動する必要があり、ＨＤＴＶ画像（例：１０００ピクセル未満）ではないと論じられかねない比較的低いピクセルカウント値の画像がいくらか生成する。
【００３７】
本発明の他の実施態様によれば、フレーム速度変換ブロック（図５の６０２。飛越し走査解除機能（ｄｅ-ｉｎｔｅｒｌａｃｉｎｇ ｆｕｎｃｔｉｏｎ）を追加的に実施できる。）を着信ＨＤＴＶ信号処理とＤＯＳ信号処理の残部との間に追加することにより、一定の出力走査速度がトランスポーズされた走査ＣＲＴディスプレイ（ＤＯＳ）電子機器で保たれる。
【００３８】
図５は、本発明に係るマルチ標準垂直走査ＣＲＴのさらに他の実施態様のブロック図である。図５に示した回路及び方法は、様々なフレーム速度の着信信号を処理する能力を与え、これらは既存のトランスポーズされた走査ＣＲＴ電子機器で十分に表示することができる。示されているように、着信ＨＤＴＶ信号（任意のフレーム速度を持つ）は、フレーム速度コンバータ６０２に入力される。図１乃至図４の実施形態と異なり、フレーム速度コンバータ６０２は、全ての着信信号速度に対して単一の垂直／水平組み合わせの選択肢を与える。フレーム速度コンバータ６０２は、全ての着信フレーム速度を、全ての表示されるピクチャが同じ選択された垂直速度及び同じ水平速度を有するように、選択された垂直速度（例：５０、６０又は７５Ｈｚ）に変換する。
【００３９】
本実施態様の概念は、既存のフレーム挿入アルゴリズムを使用する実験装置により、５０Ｈｚ信号からａ６０Ｈｚ信号の変換を行い、５０Ｈｚ及び６０Ｈｚによる画像を単一の１２８０（ｉ）走査標準（ｓｃａｎ  ｓｔａｎｄａｒｄ）で表示することが実証された。
【００４０】
フレーム速度コンバータ６０２は、Ｈ＆Ｖ（ｐ）同期信号をブロック６０６に与え、ブロック６０６で画像がトランスポーズされ、ビデオ修正が行われ（行う場合）、順次走査から飛越し走査への変換も行われる。Ａ／Ｄコンバータ６０４が、ＲＧＢ（ｐ）アナログ信号をコンバータ６０２から受信する。Ｄ／Ａコンバータは、上記のさらに処理された信号をアナログＲＧＢ信号に戻し、この信号は上述した実施形態で説明したように、トランスポーズされた走査ＣＲＴの残余の回路で引き続き変換され処理される。
【００４１】
表示の画像の品質がフレーム速度変換ブロック６０２で実施される特定のアルゴリズムに強く依存する。例として、極めて基本的な技術（例：フィールド挿入／偏向）を使用してよく、又は第１のレベル改良ではモーション適合処理を用いてよく、全面的モーション適合処理アルゴリズムを実施すればさらに良質の変換となる。
【００４２】
図５に示した回路の他の実施形態では、フレーム速度変換機能とトランスポーズ／ＶＣ機能を全て１つの集積回路（ＩＣ）に入るように組み合わせてよい。この実施形態は、両機能で使用するＤＤＲＡＭのフレーム格納の要件の最小化を可能にする。
【００４３】
また、さらに他の実施形態は、順次走査による映像信号と飛越し走査による映像信号を両方受け入れる能力を備えるように、フレーム速度コンバータ６０２の処理能力を強化する。この強化により、ディスプレイモジュールの電子機器がＨＤＴＶのフォーマットと通常の４８０ｉ、６０Ｈｚ（ＮＴＳＣ）及び５７６ｉ、５０Ｈｚ（ＰＡＬ）の飛越し走査による信号とを受け入れることが可能になる。
【００４４】
本発明の根本的な新規の特性を本明細書の好ましい実施形態での適用を通じて示し説明し指摘したが、記載された方法及び図示された装置の形態及び詳細ならびに装置の作動は本発明の精神から逸脱することなく当業者によって種々の省略、代替及び変更が行われ得ることが理解されよう。例えば、実質的に同じ機能を実質的に同じ形で行って同じ結果を出すこれらの要素の全ての組み合わせ及び／又は方法ステップは、本発明の技術的範囲内であることが明示的に意図されている。さらに、本発明の任意の開示された形態又は実施形態に関連して示され及び／又は記載された構造及び／又は要素及び／又は方法ステップは、設計上選択に関する一般的事項として、任意の、他に開示され、記載され、又は示唆された実施形態又は実施形態に組み込まれ得る。したがって、本発明は、本明細書に添付された特許請求の範囲により指示されるところによってのみ限定されることが意図される。
【図面の簡単な説明】
【００４５】
【図１】典型的なＣＲＴにおける投影距離と偏向角度の間の基本的な幾何学的関係を示す概略図である。
【図２】本発明に係るマルチ標準垂直走査ＣＲＴの第一実施形態を説明するためのブロック図である。
【図３】本発明に係るマルチ標準垂直走査ＣＲＴの関連する信号処理及び電子ドライブシステムの詳細な例示的実施形態のブロック図である。
【図４】本発明に係るマルチ標準垂直走査ＣＲＴの関連する信号処理及び電子ドライブシステムの他の詳細な例示的実施形態のブロック図である。
【図５】本発明に係るマルチ標準垂直走査ＣＲＴのさらに他の実施態様のブロック図である。
【図１】
2009506379.tif 000005
【図２】
2009506379.tif 000006
【図３】
2009506379.tif 000007
【図４】
2009506379.tif 000008
【図５】
2009506379.tif 000009
【国際調査報告】
2009506379.tif 000010
2009506379.tif 000011